(57)【要約】      （修正有）【課題】掛止部の滑動や離脱を防止する、滑動防止機能付き止血クリップの提供。【解決手段】本体Ｄが滑り止めＤ１、穿通孔Ｄ６、ポカよけフックＤ２、掛止突出部Ｄ３、収納空間Ｄ４、圧合体Ｄ５、穿通孔から構成され、該本体が弾力を備えた曲線体であり、両側にチューブを穿通するための穿通孔を備え、内部を延伸して相互に対応して該チューブを挟み込む圧合体を設置すると共に、該チューブを設置する収納空間を設け、さらに、該本体の外側を延伸して連続した高低の起伏を備えた滑り止めを形成し、且つ、末端部に相互に対応して掛止されるポカよけフック及び掛止突出部を設け、該本体を使用しないときは両側末端部の該ポカよけフック及び掛止突出部が開放された状態を呈し、且つ、使用時には該掛止突出部が該ポカよけフックの内部に掛止され、さらに、該ポカよけフック内に掛止突出部を固定するための凹み槽を設け、該掛止突出部に該ポカよけフックの該凹み槽内に嵌合される掛止部を設置する。【選択図】図５
0003113460.tif 000002
【実用新案登録請求の範囲】
【請求項１】
チューブ内の液体の流動をせき止めるための止血クリップであって、その本体が滑り止め、穿通孔、ポカよけフック、掛止突出部、収納空間、圧合体、穿通孔から構成され、そのうち、該本体が弾力を備えた曲線体であり、両側にチューブを穿通するための穿通孔を備え、且つ、内部を延伸して相互に対応して該チューブを挟み込む該圧合体を設置すると共に、該チューブを設置する該収納空間を設け、さらに、該本体の外側を延伸して連続した高低の起伏を備えた該滑り止めを形成し、且つ、末端部に相互に対応して掛止される該ポカよけフック及び該掛止突出部を設け、該本体を使用しないときは両側末端部の該ポカよけフック及び掛止突出部が開放された状態を呈し、且つ、使用時には該掛止突出部が該ポカよけフックの内部に掛止され、さらに、該ポカよけフック内に該掛止突出部を固定するための凹み槽を設け、該掛止突出部に該ポカよけフックの該凹み槽内に嵌合される掛止部を設置することを特徴とする、滑動防止機能付き止血クリップ。
【考案の詳細な説明】
【技術分野】
【０００１】
本考案は滑動防止機能付き止血クリップに関し、詳細には、本体が弾力を備えた曲線体であり、両側にチューブを穿通する穿通孔を設け、且つ、内部を延伸してチューブを相互に対応して挟持する圧合体と、チューブを設置するための収納空間を設け、さらに、本体外側を延伸して連続した高低の起伏を備えた滑り止めを形成し、且つ、末端部に相互に対応して掛合されるポカよけフックと掛止突出部を設けたことを特徴とする、滑動防止機能付き止血クリップに関する。
【０００２】
また、本考案は上述のポカよけフック内に掛止突出部を固定するための凹み槽を設け、掛止突出部にポカよけフックの凹み槽内に嵌合される掛止部を設け、ポカよけフックと掛止突出部間を相互に嵌合したとき、掛止突出部とポカよけフック間が左右に滑動したり、外れて離脱したりする現象の発生を防ぐことができる。
【０００３】
また、チューブを曲線体の穿通孔に通す際、収納空間及び別の一端の穿通孔に穿通させた後、末端部のポカよけフックと別の一端の掛止突出部とを掛止し、収納空間内に設けた相互に対応する圧合体でチューブを挟み込み、チューブ内の液体をせき止め、チューブ内の液体能の流動を停止させることができる。
【背景技術】
【０００４】
従来の止血クリップは、図１に示すように、止血クリップＡ左右の末端に相互に対応して嵌合される掛止部Ａ１、Ａ２を設け、且つ、掛止部Ａ１、Ａ２を嵌合させるときは、左側の掛止部Ａ１下方に右側の掛止部Ａ２を嵌合し、止血クリップＡ内に設置した圧合体Ａ３がチューブBを押圧し、チューブＢ内を流動する液体をせき止めるものである。しかしながら、止血クリップＡ内の圧合体Ａ３と左右の末端の掛止部Ａ１、Ａ２は、その圧合と固定において、チューブＢと止血クリップＡそのものが持つ弾性抗力により、末端の掛止部Ａ１、Ａ２が滑落したり、外れてしまったりという現象が発生しやすい。
【０００５】
図２に従来の改良技術を示す。右側の掛止部Ｃ１にポカよけＣ２を設け、左側の掛止部Ｃ３を延伸して長くし、指押し式の掛止部Ｃ１、Ｃ３としたものである。しかしながら、止血クリップＣ内の圧合体Ｃ４と左右末端の掛止部Ｃ１、Ｃ３は、その圧合と固定において、使用時に指押し式の掛止部Ｃ１、Ｃ３にうっかり接触してしまうと、左側の掛止部Ｃ３が外れてしまう現象が発生しやすい。
【考案の開示】
【考案が解決しようとする課題】
【０００６】
このため、本考案の目的は、上述の欠点を排除し、掛止部の滑動や離脱を防止することができる、滑動防止機能付き止血クリップを提供することにある。
【課題を解決するための手段】
【０００７】
本体が滑り止め、穿通孔、ポカよけフック、掛止突出部、収納空間、圧合体、穿通孔から構成され、そのうち、該本体が弾力を備えた曲線体であり、両側にチューブを穿通するための穿通孔を備え、且つ、内部を延伸して相互に対応して該チューブを挟み込む圧合体を設置すると共に、該チューブを設置する収納空間を設け、さらに、該本体の外側を延伸して連続した高低の起伏を備えた滑り止めを形成し、且つ、末端部に相互に対応して掛止されるポカよけフック及び掛止突出部を設け、該本体を使用しないときは両側末端部の該ポカよけフック及び掛止突出部が開放された状態を呈し、且つ、使用時には該掛止突出部が該ポカよけフックの内部に掛止され、さらに、該ポカよけフック内に掛止突出部を固定するための凹み槽を設け、該掛止突出部に該ポカよけフックの該凹み槽内に嵌合される掛止部を設置することを特徴とする。
【考案の効果】
【０００８】
本考案の進歩性と実用性をよりはっきりと示すため、以下、従来品と比較して分析する。
《従来品の欠点》
一、掛止部の部分に左右の滑動の現象が発生しやすい。
二、うっかり接触すると外れて分離してしまう現象が発生しやすい。
三、進歩性と実用性を備えていない。
【０００９】
《本考案の利点》
一、ポカよけフックに掛止突出部の左右の滑動を防ぐ保護効果がある。
二、操作が簡単で便利である。
三、進歩性と実用性を兼ね備えている。
四、産業的競争力を向上できる。
【考案を実施するための最良の形態】
【００１０】
以下、本考案について、図面と実施例に基づき詳細に説明する。本考案は滑動防止機能付き止血クリップを提供するものであり、図３に示すように、その本体Ｄは滑り止めＤ１、ポカよけフックＤ２、掛止突出部Ｄ３、収納空間Ｄ４、圧合体Ｄ５、穿通孔Ｄ６から構成される。
【００１１】
図３−１に示すように、本体Ｄは弾力を備えた曲線体であり、且つ、両側にチューブＥを穿通する穿通孔Ｄ６を備え、さらに、曲線体内部を延伸して相互に対応してチューブＥを挟み込む圧合体Ｄ５を設け、且つ、チューブＥを設置するための収納空間Ｄ４を形成し、さらに、その外側を延伸し連続して高低に起伏した滑り止めＤ１を設け、且つ、末端部に相互に対応するポカよけフックＤ２と掛止突出部Ｄ３を設けることを特徴とする。
【００１２】
また、上述のポカよけフックＤ２内に掛止突出部Ｄ３を固定するための凹み槽Ｄ２１を設け、掛止突出部Ｄ３にポカよけフックＤ２の凹み槽Ｄ２１内に嵌合される掛止部Ｄ３１を設置し、ポカよけフックＤ２と掛止突出部Ｄ３間を相互に嵌合したとき、掛止突出部Ｄ３とポカよけフックＤ２間が左右に滑動したり、外れて離脱したりする現象の発生を防ぐ。
【００１３】
図４に示すように、本体Ｄの設置時には、チューブＥを曲線体の穿通孔Ｄ６に穿通し、収納空間Ｄ４と別の一端の穿通孔Ｄ６に通し、末端部のポカよけフックＤ２を別の一端の掛止突出部Ｄ３に掛止し、収納空間Ｄ４内に設けた相互に対応する圧合体Ｄ５によりチューブEを挟み込み、チューブＥ内の液体をせき止める。
【００１４】
本考案の実施方法は、図５に示すように、本考案を使用するとき、チューブＥを曲線体の穿通孔Ｄ６に通し、さらに収納空間Ｄ４と別の一端の穿通孔Ｄ６に穿通し、本体Ｄ末端部のポカよけフックＤ２を別の一端の掛止突出部Ｄ３に掛止して、収納空間Ｄ４内の相互に対応する圧合体Ｄ５でチューブEを挟み込み、チューブＥ内の液体をせき止め、チューブＥ内の液体の流動を停止させることができる。
【００１５】
また、本体Ｄの収納空間Ｄ４内に設けた相互に対応する圧合体Ｄ５、及び末端部のポカよけフックＤ２と掛止突出部Ｄ３は、その圧合と固定において、末端部のポカよけフックＤ２内に掛止突出部Ｄ３を固定するための凹み槽Ｄ２１が設けられ、また掛止突出部Ｄ３にもポカよけフックＤ２凹み槽Ｄ２１内に嵌合される掛止部Ｄ３１が設けられていることにより、ポカよけフックＤ２と掛止突出部Ｄ３間を相互に嵌合したとき、掛止突出部Ｄ３とポカよけフックＤ２間が左右に滑動そしたり、外れて離脱したりする現象の発生を防ぐことができる。
【００１６】
図６に示すように、末端部のポカよけフックＤ２と掛止突出部Ｄ３間を分離するときは、ポカよけフックＤ２末端の部位を指で押して施圧することで、その弾性を利用し、掛止突出部Ｄ３の掛止部位と別の一端のポカよけフックＤ２の両者間を分離することができる。
【００１７】
以上で述べた説明は、本考案の最良の実施例に基づくものであり、本考案の権利の範囲を制限するものではなく、本考案の明細書及び図面の内容を運用した同等効果を得る構造を、直接的または間接的にその他関連技術領域に応用したものはすべて本考案の要旨の範囲内に含まれるものとみなす。
【００１８】
上述のように、本考案は従来技術を打破する構造の下、確実に増進を図る効果を得ることができ、また、当該技術を熟知した者でなくとも容易に理解でき、さらに、本考案の出願以前には公開されたことがなく、進歩性と実用性を兼ね備えており、実用新案登録の出願用件を満たしているため、法に基づきここに実用新案登録を出願するものである。
【図面の簡単な説明】
【００１９】
【図１】従来の止血クリップの立体外観斜視図である。
【図２】従来の別の止血クリップの立体外観斜視図である。
【図３】本考案の立体外観斜視図である。
【図３−１】本考案の側面図である。
【図４】本考案の掛止の動作を示す立体斜視図である。
【図５】本考案の掛止を解除する動作を示す立体斜視図である。
【図６】本考案の掛止を解除した状態を示す立体斜視図である。
【符号の説明】
【００２０】
Ａ        止血クリップ
Ａ１      左側掛止部
Ａ２      右側掛止部
Ａ３      圧合体
Ｂ        チューブ
Ｃ        止血クリップ
Ｃ１      右側掛止部
Ｃ２      ポカよけ
Ｃ３      左側掛止部
Ｃ４      圧合体
Ｄ        本体
Ｄ１      滑り止め
Ｄ２      ポカよけフック
Ｄ２１    凹み槽
Ｄ３      掛止突出部
Ｄ３１    掛止部
Ｄ４      収納空間
Ｄ５      圧合体
Ｄ６      穿通孔
Ｅ        チューブ
【図１】
0003113460.tif 000003
【図２】
0003113460.tif 000004
【図３】
0003113460.tif 000005
【図３−１】
0003113460.tif 000006
【図４】
0003113460.tif 000007
【図５】
0003113460.tif 000008
【図６】
0003113460.tif 000009